【手続補正書】
【提出日】平成23年10月5日(2011.10.5)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）及び無線基地局において無線リソースの再構成を作動させるための、該無線基地局における方法であって、再構成が行われる前記ユーザ機器は、無線ネットワーク一時識別子である第１のＵＥ識別子によって識別可能であり、
前記ユーザ機器によって使用されるべき新しい構成を指示するための再構成メッセージであって、前記ユーザ機器のための識別子であって前記新しい構成と関連づけられ、前記ユーザ機器において前記新しい構成を作動させるために用いられる無線ネットワーク一時識別子である第２のＵＥ識別子を含む再構成メッセージを送信する工程と、
前記ユーザ機器が前記第２のＵＥ識別子によって識別可能である旨の通知を受信する工程と、
前記ユーザ機器が前記第２のＵＥ識別子によって識別可能である旨の通知を受信した場合に、前記ユーザ機器が前記新しい構成において送受信を開始する準備が整っていると判定する工程と
を備えることを特徴とする方法。
【請求項２】
前記通知を受信する工程は、
前記ユーザ機器に対して、少なくとも前記第２のＵＥ識別子を利用してスケジューリング・コマンドを送信する工程と、
前記第２のＵＥ識別子を伴う前記スケジューリング・コマンドに対する応答を受信する工程と
を含むことを特徴とする請求項１に記載の方法。
【請求項３】
前記ユーザ機器に対して、少なくとも前記第２のＵＥ識別子を利用してスケジューリング・コマンドを送信する工程は、前記再構成メッセージに対する確認応答を前記ユーザ機器から前記無線基地局が受信した場合に実行されることを特徴とする請求項２に記載の方法。
【請求項４】
前記ユーザ機器に対して、前記第２のＵＥ識別子を利用してスケジューリング・コマンドを送信する工程は、前記再構成メッセージに対する確認応答を前記ユーザ機器から前記無線基地局が受信してから所定時間が経過した後に実行されることを特徴とする請求項３に記載の方法。
【請求項５】
前記再構成メッセージは、前記ユーザ機器に対する、前記再構成と関連するユーザ機器主導の手順の実行要求を含み、
前記通知を受信する工程は、
前記ユーザ機器主導の手順が始まったことの通知を検出する工程
を含むことを特徴とする請求項１乃至４のいずれか１項に記載の方法。
【請求項６】
前記ユーザ機器主導の手順は、ランダムアクセス手順であることを特徴とする請求項５に記載の方法。
【請求項７】
前記再構成は、無線リソース制御プロトコル・メッセージにおいて送信されることを特徴とする請求項１乃至６のいずれか１項に記載の方法。
【請求項８】
無線リソースの再構成をユーザ機器において作動させ、基地局に前記作動を通知するための、該ユーザ機器（ＵＥ）における方法であって、再構成が行われる前記ユーザ機器は、無線ネットワーク一時識別子である第１のＵＥ識別子によって識別可能であり、
前記ユーザ機器によって使用されるべき新しい構成を指示するための再構成メッセージであって、前記ユーザ機器のための識別子であって前記新しい構成と関連づけられた無線ネットワーク一時識別子である第２のＵＥ識別子を含む再構成メッセージを受信する工程と、
前記新しい構成を作動させる工程と、
前記ユーザ機器が前記第２のＵＥ識別子によって識別可能である旨を前記無線基地局に通知する工程と、
を備えることを特徴とする方法。
【請求項９】
前記通知する工程は、
スケジューリング・コマンドを受信する工程と、
前記スケジューリング・コマンドに対する応答を送信する工程と
を含み、
前記ユーザ機器は少なくとも前記第２のＵＥ識別子により識別されることを特徴とする請求項８に記載の方法。
【請求項１０】
前記再構成メッセージは、前記ユーザ機器に対する、前記再構成と関連するユーザ機器主導の手順の実行要求を含み、
前記通知する工程は、
前記再構成と関連づけられた前記ユーザ機器主導の手順を開始する工程
を含むことを特徴とする請求項８または９に記載の方法。
【請求項１１】
前記ユーザ機器主導の手順は、ランダムアクセス手順であることを特徴とする請求項１０に記載の方法。
【請求項１２】
前記再構成は、無線リソース制御プロトコル・メッセージにおいて受信されることを特徴とする請求項８乃至１１のいずれか１項に記載の方法。
【請求項１３】
ユーザ機器（ＵＥ）及び無線基地局において無線リソースの再構成を作動させるための、該無線基地局であって、再構成が行われる前記ユーザ機器は、無線ネットワーク一時識別子である第１のＵＥ識別子によって識別可能であり、
前記ユーザ機器によって使用されるべき新しい構成を指示するための再構成メッセージであって、前記ユーザ機器のための識別子であって前記新しい構成と関連づけられ、前記ユーザ機器においてプロセッサユニットが前記新しい構成を作動させるために用いる無線ネットワーク一時識別子である第２のＵＥ識別子を含む再構成メッセージを送信する送信器と、
前記ユーザ機器が前記第２のＵＥ識別子によって識別可能である旨の通知を受信する受信器と、
前記ユーザ機器が前記第２のＵＥ識別子によって識別可能である旨の通知を受信した場合に、前記ユーザ機器が前記新しい構成において送受信を開始する準備が整っていると判定する前記プロセッサユニットと
を備えることを特徴とする無線基地局。
【請求項１４】
前記送信器は、前記ユーザ機器に対して、少なくとも前記第２のＵＥ識別子を利用してスケジューリング・コマンドを送信するように更に構成され、
前記受信器は、前記第２のＵＥ識別子を伴う前記スケジューリング・コマンドに対する応答を受信するように更に構成されている
ことを特徴とする請求項１３に記載の無線基地局。
【請求項１５】
前記送信器は、前記再構成メッセージに対する確認応答を前記ユーザ機器から前記無線基地局が受信した場合に、前記ユーザ機器に対して、前記第２のＵＥ識別子を利用してスケジューリング・コマンドを送信するように更に構成されていることを特徴とする請求項１４に記載の無線基地局。
【請求項１６】
前記送信器は、前記再構成メッセージに対する確認応答を前記ユーザ機器から前記無線基地局が受信してから所定時間が経過した後に、前記ユーザ機器に対して、少なくとも前記第２のＵＥ識別子を利用してスケジューリング・コマンドを送信するように更に構成されていることを特徴とする請求項１５に記載の無線基地局。
【請求項１７】
前記再構成メッセージは、前記ユーザ機器に対する、前記再構成と関連するユーザ機器主導の手順の実行要求を含み、
前記受信器は、前記ユーザ機器主導の手順が始まったことの通知を検出するように構成されていることを特徴とする請求項１３乃至１６のいずれか１項に記載の無線基地局。
【請求項１８】
前記ユーザ機器主導の手順は、ランダムアクセス手順であることを特徴とする請求項１７に記載の無線基地局。
【請求項１９】
前記再構成は、無線リソース制御プロトコル・メッセージにおいて送信されることを特徴とする請求項１３乃至１８のいずれか１項に記載の無線基地局。
【請求項２０】
無線リソースの再構成をユーザ機器において作動させ、基地局に前記作動を通知するための、該ユーザ機器（ＵＥ）であって、再構成が行われる前記ユーザ機器は、無線ネットワーク一時識別子である第１のＵＥ識別子によって識別可能であり、
前記ユーザ機器によって使用されるべき新しい構成を指示するための再構成メッセージであって、前記ユーザ機器のための識別子であって前記新しい構成と関連づけられた無線ネットワーク一時識別子である第２のＵＥ識別子を含む再構成メッセージを受信する受信器と、
前記新しい構成を作動させるプロセッサユニットと、
前記ユーザ機器が前記第２のＵＥ識別子によって識別可能である旨を前記無線基地局に通知する送信器と、
を備えることを特徴とするユーザ機器。
【請求項２１】
前記受信器は、スケジューリング・コマンドを受信するように更に構成され、
前記送信器は、前記スケジューリング・コマンドに対する応答を送信するように更に構成され、
前記ユーザ機器は少なくとも前記第２のＵＥ識別子により識別されることを特徴とする請求項２０に記載のユーザ機器。
【請求項２２】
前記再構成メッセージは、前記ユーザ機器に対する、前記再構成と関連するユーザ機器主導の手順の実行要求を含み、
前記プロセッサユニットは、前記再構成と関連づけられた前記ユーザ機器主導の手順を開始するように更に構成されていることを特徴とする請求項２０または２１に記載のユーザ機器。
【請求項２３】
前記ユーザ機器主導の手順は、ランダムアクセス手順であることを特徴とする請求項２２に記載のユーザ機器。
【請求項２４】
前記再構成は、無線リソース制御プロトコル・メッセージにおいて受信されることを特徴とする請求項２０乃至２３のいずれか１項に記載のユーザ機器。